(57)【要約】 【課題】上下方向に装置を大型化させることなく、前面側から光源ランプの交換が可能な背面投射型映像装置を提供する。【解決手段】背面投射型映像装置１は、光源ランプを有するランプカートリッジ１０を備える。光源ランプからの光を、反射及び透過の少なくとも一方を行って光を照射する光学ユニット２０を備える。光学ユニット２０から照射された光に基づく画像が結像するスクリーン３０を備える。スクリーン３０を移動可能な状態で保持する保持部５０を備える。スクリーン３０の移動により、ランプカートリッジ１０をスクリーン３０で隠す状態と、ランプカートリッジ１０をスクリーン３０がある側から取り出し可能な状態とが切り替えられる。【選択図】図１
2007264019.tif 000002
【特許請求の範囲】
【請求項１】
光源ランプを有するランプカートリッジと、
前記光源ランプからの光を、反射及び透過の少なくとも一方を行って光を照射する光学ユニットと、
前記光学ユニットから照射された光に基づく画像が結像するスクリーンと、
前記スクリーンを移動可能な状態で保持する保持部とを備え、
前記スクリーンの移動により、前記ランプカートリッジを前記スクリーンで隠す状態と、前記ランプカートリッジを前記スクリーンがある側から取り出し可能な状態とが切り替えられることを特徴とする背面投射型映像装置。
【請求項２】
前記スクリーンの移動は、上下方向であることを特徴とする請求項１に記載の背面投射型映像装置。
【請求項３】
前記ランプカートリッジを前記スクリーンで隠す状態において、前記スクリーンのスクリーン枠を越えた上下方向に部品を構成しないことを特徴とする請求項１に記載の背面投写型映像装置。
【請求項４】
光源ランプを有するランプカートリッジと、
前記光源ランプからの光を、反射及び透過の少なくとも一方を行って光を照射する光学ユニットと、
前記光学ユニットから照射された光に基づく画像が結像するスクリーンと、
前記スクリーンを上下方向又は左右方向、及び前後方向に移動可能な状態で保持し、前記ランプカートリッジを前後方向に移動可能な状態で保持する保持部とを備え、
前記スクリーン及び前記ランプカートリッジの前後方向の移動により、前記光源ランプからの照射された光が前記光学ユニットの入射光路上にある第１状態と、前記ランプカートリッジが前側に引き出された第２状態とが切り替えられ、
前記スクリーンの上下又は左右方向の移動により、前記ランプカートリッジが前記スクリーンの後ろに隠れた前記第２状態と、前記ランプカートリッジが前記スクリーンがある前側から取り出し可能な第３状態とに切り替えられることを特徴とする背面投射型映像装置。
【請求項５】
前記光源ランプの温度、及び前記光源ランプの点灯状態の少なくとも一方を検知する検知手段を更に備えることを特徴とする請求項４に記載の背面投射型映像装置。
【請求項６】
前記光源ランプの温度が閾値よりも高い場合、又は前記光源ランプが点灯中の場合に、前記スクリーン及び前記ランプカートリッジの移動を禁止する旨の警告メッセージを前記スクリーンに表示させる制御部を更に備えることを特徴とする請求項５に記載の背面投射型映像装置。
【請求項７】
前記第１状態にある前記スクリーン及び前記ランプカートリッジの前記前後方向の移動を禁止するロック機構と、
前記光源ランプの温度が閾値よりも高い場合、又は前記光源ランプが点灯状態の場合に、前記ロック機構をロック状態にする制御部とを更に備えることを特徴とする請求項５に記載の背面投射型映像装置。
【発明の詳細な説明】
【技術分野】
【０００１】
本発明は、背面投写型映像装置に関し、特にスクリーンを移動させて前面側から光源ランプの交換が可能な背面投射型映像装置に関する。
【背景技術】
【０００２】
従来、背面投射型映像装置が提案されている。
【０００３】
背面投写型映像装置は、光源ランプを定期的に交換する必要がある。特許文献１は、スクリーンに対して斜め下方に光源ランプを設置できるように光学系を配置し、スクリーン下にある前面パネルから光源ランプの交換が可能な背面投射型映像装置を開示する。
【特許文献１】特開平９−９８３５８号公報
【発明の開示】
【発明が解決しようとする課題】
【０００４】
しかし、特許文献１の装置は、背面から光源ランプを交換できるタイプに比べて、光源ランプの交換時の操作性は向上するが、上下方向に装置が大型化する。
【０００５】
したがって本発明の目的は、上下方向に装置を大型化させることなく、前面側から光源ランプの交換が可能な背面投射型映像装置を提供することである。
【課題を解決するための手段】
【０００６】
本発明に係る背面投射型映像装置は、光源ランプを有するランプカートリッジと、光源ランプからの光を、反射及び透過の少なくとも一方を行って光を照射する光学ユニットと、光学ユニットから照射された光に基づく画像が結像するスクリーンと、スクリーンを移動可能な状態で保持する保持部とを備え、スクリーンの移動により、ランプカートリッジをスクリーンで隠す状態と、ランプカートリッジをスクリーンがある側から取り出し可能な状態とが切り替えられる。
【０００７】
好ましくは、スクリーンの移動は、上下方向である。
【０００８】
また、好ましくは、ランプカートリッジをスクリーンで隠す状態において、スクリーンのスクリーン枠を越えた上下方向に部品を構成しない。
【０００９】
本発明に係る背面投射型映像装置は、光源ランプを有するランプカートリッジと、光源ランプからの光を、反射及び透過の少なくとも一方を行って光を照射する光学ユニットと、光学ユニットから照射された光に基づく画像が結像するスクリーンと、スクリーンを上下方向又は左右方向、及び前後方向に移動可能な状態で保持し、ランプカートリッジを前後方向に移動可能な状態で保持する保持部とを備え、スクリーン及びランプカートリッジの前後方向の移動により、光源ランプからの照射された光が光学ユニットの入射光路上にある第１状態と、ランプカートリッジが前側に引き出された第２状態とが切り替えられ、スクリーンの上下又は左右方向の移動により、ランプカートリッジがスクリーンの後ろに隠れた第２状態と、ランプカートリッジがスクリーンがある前側から取り出し可能な第３状態とに切り替えられる。
【００１０】
好ましくは、光源ランプの温度、及び光源ランプの点灯状態の少なくとも一方を検知する検知手段を更に備える。
【００１１】
さらに好ましくは、光源ランプの温度が閾値よりも高い場合、又は光源ランプが点灯状態の場合に、スクリーン及びランプカートリッジの移動を禁止する旨の警告メッセージをスクリーンに表示させる制御部を更に備える。
【００１２】
また、好ましくは、第１状態にあるスクリーン及びランプカートリッジの前後方向の移動を禁止するロック機構と、光源ランプの温度が閾値よりも高い場合、又は光源ランプが点灯状態の場合に、ロック機構をロック状態にする制御部とを更に備える。
【発明の効果】
【００１３】
以上のように本発明によれば、上下方向に装置を大型化させることなく、前面側から光源ランプの交換が可能な背面投射型映像装置を提供することができる。
【発明を実施するための最良の形態】
【００１４】
以下、本実施形態について、図を用いて説明する。本実施形態における背面投射型映像装置１は、ランプカートリッジ１０、光学ユニット２０、スクリーン３０、スクリーン枠４０、及び保持部５０を備える。なお、方向を説明するために、背面投射型映像装置１においてランプカートリッジ１０から光学ユニット２０に向けて照射される光の方向（水平方向）を第１方向ｘ、第１方向ｘと直交する鉛直方向を第２方向ｙ、第１方向ｘ、第２方向ｙと垂直な水平方向を第３方向ｚとして説明する。
【００１５】
ランプカートリッジ１０は、光源ランプを有し、第１状態において光学ユニット２０に、光を照射する。ランプカートリッジ１０は、光源ランプの交換などのために、取り外し可能な状態で保持部５０に取り付けられる。ランプカートリッジ１０は、保持部５０の第３方向ｚの移動に伴って、前後方向すなわち第３方向ｚに移動可能（第１状態（後ろ）と第２、第３状態（前））である。
【００１６】
光学ユニット２０は画像形成装置としての液晶パネルと、液晶パネルに表示された画像をスクリーン３０上で結像させるための結像光学系（集光レンズや反射ミラー）を有し、光源ランプから照射された光であって液晶パネルを透過した光は、集光レンズや反射ミラーを介してスクリーン３０に照射される。
【００１７】
本実施形態では、透過型液晶を使った画像形成装置の形態を説明するが、ＤＭＤ（Ｄｉｇｉｔａｌ  Ｍｉｃｒｏｍｉｒｒｏｒ  Ｄｅｖｉｃｅ）を使った反射による画像形成装置であってもよい。
【００１８】
スクリーン３０は、半透明の材料から形成されており、光学ユニット２０からの画像が投影され、スクリーン３０上に画像が形成される。スクリーン枠４０は、スクリーン３０の周囲に取り付けられた枠で、保持部５０は、スクリーン枠４０を保持する。
【００１９】
保持部５０は、第３方向ｚに延びた腕部が前後にスライドすることによって、ランプカートリッジ１０、スクリーン３０、及びスクリーン枠４０を保持しながら前後方向すなわち第３方向ｚに移動可能である。保持部５０は、第２方向ｙに延びた腕部に設けられた溝に沿ってスライドすることによって、スクリーン３０、及びスクリーン枠４０を保持しながら上下方向すなわち第２方向ｙに移動可能である。保持部５０は、スクリーン枠４０側にあるピン（不図示）によって第２方向ｙの適当な位置（上端部分など）で固定される。
【００２０】
スクリーン３０、スクリーン枠４０及びランプカートリッジ１０の前後方向の移動により、光源ランプからの照射された光が光学ユニット２０の入射光路上にある第１状態（後ろ）と、ランプカートリッジ１０が前側に引き出された第２状態とが切り替えられ、スクリーン３０、及びスクリーン枠４０の上下方向の移動により、ランプカートリッジ１０がスクリーン３０の後ろに隠れた第２状態（下）と、ランプカートリッジ１０がスクリーン３０がある前側から取り出し可能な第３状態（上）とに切り替えられる。
【００２１】
スクリーン３０に画像を投影するなどの通常使用時、保持部５０は、ランプカートリッジ１０、スクリーン３０、及びスクリーン枠４０を、第３方向ｚで且つ光学ユニット２０に近づけた第１状態で保持する（図２〜図４参照）。このとき、スクリーン３０、及びスクリーン枠４０は、第２方向ｙに移動しないで固定された状態である。
【００２２】
ランプカートリッジ１０を交換する時、保持部５０は、ランプカートリッジ１０、スクリーン３０、及びスクリーン枠４０を、第３方向ｚで且つ光学ユニット２０から遠ざかった第２状態（繰り出した状態）で保持する（図５参照）。このとき、スクリーン３０、及びスクリーン枠４０は、第２方向ｙで且つ上方に移動可能な状態である。
【００２３】
次に、スクリーン３０、及びスクリーン枠４０は、第２方向ｙで且つ上方に移動せしめられた第３状態（スクリーン３０が退避した状態）で、保持される（図１、図６〜８参照）。
【００２４】
第１状態から第２状態への移行の際のランプカートリッジ１０、スクリーン３０、及びスクリーン枠４０の移動、及び第２状態から第３状態への移行の際のスクリーン３０及びスクリーン枠４０の移動は、いずれも使用者による手動で行われるが、モータなどによる電動で行われても良い。
【００２５】
第１状態において、ランプカートリッジ１０、及び光学ユニット２０は、第１方向に並べて配置される。ランプカートリッジ１０は、第１、２状態では、スクリーン３０の背面（後ろ側）に位置するため、スクリーン３０の映像を見る側から、ランプカートリッジ１０を見ることは出来ない。第３状態では、スクリーン３０、及びスクリーン枠４０が第２方向ｙで且つ上方に移動せしめられるため、スクリーン３０の映像を見る側から見える状態にされる。第３状態において、ランプカートリッジ１０は、スクリーン３０を見る側から取り外し可能である。
【００２６】
本実施形態では、第３状態において、ランプカートリッジ１０を、前面側（スクリーン３０の映像を見る側）から脱着可能であるため、背面側から脱着する仕様で作業者が背面側に回り込む必要がある背面投射型映像装置に比べて作業効率が良いメリットを有する。
【００２７】
また、通常使用時（第１状態）、及び第２状態において、スクリーン３０、及びスクリーン枠４０は第２方向ｙ下方に位置し、ランプカートリッジ１０は、スクリーン３０、及びスクリーン枠４０の後方に隠れる位置関係にある。すなわち、本実施形態における背面投写型映像装置１は、スクリーン枠４０を越えた上下方向に部品を構成しない。このため、ランプカートリッジ１０がスクリーン３０、及びスクリーン枠４０の斜め上後方や斜め下後方に配置される場合に比べて、背面投射型映像装置１を第２方向ｙに大型化しないで済むメリットを有する。
【００２８】
なお、ランプカートリッジ１０が有する光源ランプが長時間使用された直後である等、高温状態である場合、ランプカートリッジ１０が有する光源ランプが点灯中である場合には、ランプカートリッジ１０の脱着を禁止する手段を備えても良い。この場合、背面投射側映像装置１は、光源ランプの温度や光源ランプの点灯状態を検知する温度検出手段と、光源ランプの温度が閾値よりも高い場合や光源ランプが点灯中の場合にスクリーン３０、スクリーン枠４０及びランプカートリッジ１０の移動を禁止する旨の警告メッセージをスクリーン３０に表示させる制御部を更に備える。警告メッセージを見て使用者は、ランプカートリッジ１０の取り外しが出来る状態か否かを判断することが可能になる。
【００２９】
また、警告メッセージの表示ではなく、保持部５０を第１状態から第２状態に移行できないように保持するロック機構を設けても良い。また、第１状態から第２状態への移行の際のランプカートリッジ１０、スクリーン３０、及びスクリーン枠４０の移動、及び第２状態から第３状態への移行の際のスクリーン３０及びスクリーン枠４０の移動をモータなどによる電動で行う場合には、制御部が電動による移動を禁止する制御を行う形態でもよい。
【００３０】
第２状態から第３状態に移行する際、スクリーン３０が第２方向ｙで且つ上方に移動する形態を説明したが、下方に移動する形態でもよいし、左右方向に移動する形態であってもよい。
【図面の簡単な説明】
【００３１】
【図１】本実施形態における背面投射型映像装置の第３状態を示す斜視図である。
【図２】第１状態における背面投射型映像装置のランプカートリッジ側から見た断面図である。
【図３】第１状態における背面投射型映像装置のスクリーン側から見た正面図である。
【図４】第１状態における背面投写型映像装置の光学ユニット側から見た断面図である。
【図５】第２状態における背面投写型映像装置のランプカートリッジ側から見た断面図である。
【図６】第３状態における背面投射型映像装置のランプカートリッジ側から見た断面図である。
【図７】第３状態における背面投射型映像装置のスクリーン側から見た正面図である。
【図８】第３状態における背面投射型映像装置のランプカートリッジ側から見た断面図で、ランプカートリッジを取り外した状態を示す。
【符号の説明】
【００３２】
１  背面投射型映像装置
１０  ランプカートリッジ
２０  光学ユニット
３０  スクリーン
４０  スクリーン枠
５０  保持部
【図１】
2007264019.tif 000003
【図２】
2007264019.tif 000004
【図３】
2007264019.tif 000005
【図４】
2007264019.tif 000006
【図５】
2007264019.tif 000007
【図６】
2007264019.tif 000008
【図７】
2007264019.tif 000009
【図８】
2007264019.tif 000010